(57)【特許請求の範囲】
【請求項１】
所定の交通情報を提供するための交通情報データに対し前記所定の交通情報を識別するサービスＩＤに係る第１付随データと地域情報に係る第２付随データとを付加して構成したデータを多重化して放送する所定形式の放送を受信し、前記情報を取得する放送受信装置であって、
各付随データの値がユーザにより予め指定された値に一致することを選択条件として前記選択条件に適合する放送をシーク動作により検索し、得られた各放送についての前記第１付随データの値を含む所定のデータを記録することによって、得られた各放送を登録した適合放送リストを作成する手段であって、前記第１付随データがユーザにより予め任意のサービスＩＤに指定された場合には、選択条件を、第２付随データの値のみがユーザにより予め指定された値に一致する条件にして前記適合放送リストを作成するリスト作成手段と、
前記適合放送リストに基づいて、又は前記適合放送リストにおけるユーザによる放送の指定に基づいて受信放送を選択する受信放送選択手段と、
前記受信放送選択手段により選択された第１放送を受信している場合にその交通情報データが受信できなくなったとき、前記第１放送の代替放送として、前記適合放送リストから、前記第１付随データの値が前記第１放送のものと一致する放送を検索し、得られた第２放送を選定する代替放送選定手段とを具備することを特徴とする放送受信装置。
【請求項２】
前記代替放送選択手段は、前記受信放送選択手段により任意のサービスＩＤに指定されて選択された第１放送を受信している場合にその交通情報データが受信できなくなったとき、前記第１放送の代替放送として、前記適合放送リストから、前記第１付随データの値が前記第１放送のものと一致する放送を検索し、得られた第２放送を選定するものであることを特徴とする請求項１に記載の放送受信装置。
【請求項３】
前記代替放送選定手段は、前記適合放送リストからの検索により、条件に適合する放送が得られなかった場合、前記第１付随データの値が前記第１放送のものと一致する放送をシーク動作により検索し、得られた放送を前記第２放送として選定するものであることを特徴とする請求項１又は２に記載の放送受信装置。
【請求項４】
前記所定形式の放送はＲＤＳシステムに従いＴＭＣデータを含むＲＤＳデータを多重化して放送するものであり、
前記交通情報データは前記ＴＭＣデータを構成するものであり、
前記第１付随データはＲＤＳデータにおけるサービスＩＤに係る付随データであり、前記第２付随データはＲＤＳデータにおける国コード及びロケーション情報に係る付随データであることを特徴とする請求項１ないし３のいずれかに記載の放送受信装置。
【請求項５】
所定の交通情報を提供するための交通情報データに対し前記所定の交通情報を識別するサービスＩＤに係る付随データと地域情報に係る付随データとを付加して構成したデータを多重化して放送する所定形式の放送を受信し、前記情報を取得する放送受信装置のコンピュータに、
各付随データの値がユーザにより予め指定された値に一致することを選択条件として前記選択条件に適合する放送をシーク動作により検索し、得られた各放送についての前記第１付随データの値を含む所定のデータを記録することによって、得られた各放送を登録した適合放送リストを作成する手順であって、前記第１付随データがユーザにより予め任意のサービスＩＤに指定された場合には、選択条件を、第２付随データの値のみがユーザにより予め指定された値に一致する条件にして前記適合放送リストを作成するリスト作成手順と、
前記適合放送リストに基づいて、又は前記適合放送リストにおけるユーザによる放送の指定に基づいて受信放送を選択する受信放送選択手順と、
前記受信放送選択手順により選択された第１放送を受信している場合にその交通情報データが受信できなくなったとき、前記第１放送の代替放送として、前記適合放送リストから、前記第１付随データの値が前記第１放送のものと一致する放送を検索し、得られた第２放送を選定する代替放送選定手順とを実行させることを特徴とする放送受信プログラム。
【請求項６】
前記代替放送選択手順は、前記受信放送選択手順により任意のサービスＩＤに指定されて選択された第１放送を受信している場合にその交通情報データが受信できなくなったとき、前記第１放送の代替放送として、前記適合放送リストから、前記第１付随データの値が前記第１放送のものと一致する放送を検索し、得られた第２放送を選定するものであることを特徴とする請求項５に記載の放送受信プログラム。
【請求項７】
所定の交通情報を提供するための交通情報データに対し前記所定の交通情報を識別するサービスＩＤに係る付随データと地域情報に係る付随データとを付加して構成したデータを多重化して放送する所定形式の放送を受信し、前記情報を取得する放送受信装置における放送受信方法であって、
各付随データの値がユーザにより予め指定された値に一致することを選択条件として前記選択条件に適合する放送をシーク動作により検索し、得られた各放送についての前記第１付随データの値を含む所定のデータを記録することによって、得られた各放送を登録した適合放送リストを作成する工程であって、前記第１付随データがユーザにより予め任意のサービスＩＤに指定された場合には、選択条件を、第２付随データの値のみがユーザにより予め指定された値に一致する条件にして前記適合放送リストを作成するリスト作成工程と、
前記適合放送リストに基づいて、又は前記適合放送リストにおけるユーザによる放送の指定に基づいて受信放送を選択する受信放送選択工程と、
前記受信放送選択工程により選択された第１放送を受信している場合にその交通情報データが受信できなくなったとき、前記第１放送の代替放送として、前記適合放送リストから、前記第１付随データの値が前記第１放送のものと一致する放送を検索し、得られた第２放送を選定する代替放送選定工程とを具備することを特徴とする放送受信方法。
【請求項８】
前記代替放送選択工程は、前記受信放送選択工程により任意のサービスＩＤに指定されて選択された第１放送を受信している場合にその交通情報データが受信できなくなったとき、前記第１放送の代替放送として、前記適合放送リストから、前記第１付随データの値が前記第１放送のものと一致する放送を検索し、得られた第２放送を選定するものであることを特徴とする請求項７に記載の放送受信方法。
【発明の詳細な説明】
【技術分野】
【０００１】
本発明は、交通情報データが多重化された放送を受信する放送受信装置、並びに該装置に適した放送受信プログラム及び放送受信方法に関する。
【背景技術】
【０００２】
従来、ステレオＦＭ放送の副搬送波を用いたＲＤＳ（ラジオ・データ・システム）の一部のチャンネルを用いて、交通情報をドライバに提供するＲＤＳ−ＴＭＣ（トラフィック・メッセージ・チャンネル）システムが知られている。このシステムでは、ＲＤＳシステムにおける８Ａタイプのメッセージに、ＴＭＣデータとしての交通情報を含めるようにしている。
【０００３】
図５はこのような交通情報の提供を行う放送局（以下、「ＲＤＳ−ＴＭＣ局」という。）からの放送を受信する際の処理（たとえば、特許文献１参照）を示すフローチャートである。この処理は、たとえば図１に示すようなシステムにおいて行われる。このシステムは、ナビゲーションユニット１、ナビゲーションユニット１に接続されたＲＤＳ−ＴＭＣユニット２、及びナビゲーションユニット１に接続されたディスプレイ３を備える。ＲＤＳ−ＴＭＣユニット２はＲＤＳ−ＴＭＣ局の放送を受信し、交通情報を取得することができる機能を有している。
【０００４】
図５の処理を開始する前に、ナビゲーションユニット１において、受信を希望するＲＤＳ−ＴＭＣ局を特定するために、その放送により提供されるＲＤＳデータにおける国コード、ロケーション情報、及びサービスＩＤの値が、ＲＤＳ−ＴＭＣ局を受信する際の受信条件として、ユーザにより指定される。そして、ＲＤＳ−ＴＭＣユニット２はこの受信条件に基づき、条件に合致するＲＤＳ−ＴＭＣ局をシーク動作により検索し、得られたＲＤＳ−ＴＭＣ局を登録したＲＤＳ−ＴＭＣ局のリスト（以下、「ＴＭＣ局リスト」という。）を作成する。ただし、受信条件におけるサービスＩＤの値が「０」である場合には、サービスＩＤについては受信条件から除外され、国コード及びロケーション情報のみに基づき、これらの値が合致するＲＤＳ−ＴＭＣ局がリストアップされることになる。
【０００５】
ＲＤＳ−ＴＭＣユニット２は、図５の処理を開始すると、まずステップ６１において、ＴＭＣ局リスト中のいずれかのＲＤＳ−ＴＭＣ局の受信を開始する。次に、ステップ６２において、該ＲＤＳ−ＴＭＣ局からＴＭＣデータを受信することができているか否かを判定する。ＴＭＣデータとは、ＲＤＳデータにおける８Ａグループデータを意味する。ＴＭＣデータを受信できていると判定した場合には、ステップ６３においてＴＭＣデータを抽出し、ナビゲーションユニット１に送信する。ナビゲーションユニット１は、これを受信し、受信したＴＭＣデータの内容を、ディスプレイ３において表示させることができる。
【０００６】
その後、ステップ６４において受信開始から２分が経過した旨を判定するまで、ステップ６２〜６４の処理を繰り返す。ステップ６４において受信開始から２分が経過したと判定すると、ステップ６５においてＴＭＣ局リストの更新を行い、ステップ６１に戻る。更新は、上述と同様に、受信条件に基づくシーク動作により行うことができる。
【０００７】
一方、ステップ６２において、ＴＭＣデータが受信できていないと判定した場合には、その４０秒後に、ステップ６６において、ＴＭＣ局リストに登録されているＲＤＳ−ＴＭＣ局の中から、ＴＭＣデータが受信可能で最良のＲＤＳ−ＴＭＣ局を検索する。ここで、ＴＭＣデータが受信できていないということは、受信状態が悪化したことを意味する。最良のＲＤＳ−ＴＭＣ局とは、たとえば、受信感度が最も良かったものを意味する。
【０００８】
次に、ステップ６７において、ＴＭＣデータが受信可能なＲＤＳ−ＴＭＣ局が検索できたか否かを判定する。検索できなかったと判定した場合には、ステップ６８及び６９において、上述の受信条件に合致するＲＤＳ−ＴＭＣ局をシーク動作により検索する。ステップ６９において条件に合致するＲＤＳ−ＴＭＣ局を検出することができたと判定した場合には、そのＲＤＳ−ＴＭＣ局の受信を開始し、ステップ６２に戻る。一方、ステップ６７において、ＴＭＣデータが受信可能なＲＤＳ−ＴＭＣ局が検索できたと判定した場合にはそのＲＤＳ−ＴＭＣ局の受信を開始し、ステップ６２へ戻る。
【０００９】
以上の処理によれば、ユーザが指定した受信条件に合致するＲＤＳ−ＴＭＣ局を受信している場合に、ＴＭＣデータが受信できなくなったときには、代替のＲＤＳ−ＴＭＣ局を検索して受信するようにしているので、ＴＭＣデータを継続的に受信することができる。
【００１０】
【特許文献１】特開２００４−１５９１０６号公報
【発明の開示】
【発明が解決しようとする課題】
【００１１】
しかしながら、上述従来技術によれば、受信条件においてサービスＩＤの値が「０」である場合、受信状態が悪化してＴＭＣデータが受信できなくなったことに応じ、受信する放送局を、代替のＲＤＳ−ＴＭＣ局に切り替えると、それまで受信していたＲＤＳ−ＴＭＣ局のサービスＩＤの値と、シークしたＲＤＳ−ＴＭＣ局のサービスＩＤの値とが異なる場合がある。受信条件におけるサービスＩＤが「０」である場合、受信条件からサービスＩＤを除外し、国コード及びロケーション情報が一致するＲＤＳ−ＴＭＣ局であればどのＲＤＳ−ＴＭＣ局でも受信対象とされ、受信され得るからである。
【００１２】
たとえば、図６に示すように、受信中のＲＤＳ−ＴＭＣ局Ａが提供するＲＤＳデータにおけるサービスＩＤが「０１」である場合、その受信状態が悪化したことに応じて検索されたＲＤＳ−ＴＭＣ局Ｂの受信が開始されると、そのサービスＩＤが「０２」となっている場合がある。このようにサービスＩＤが異なると、提供される情報に誤差が生じることがある。そうすると、取得することができる交通情報に微妙な差異が生じ、交通情報に基づいてディスプレイ３に表示されるイベントアイコンに変化が生じる場合がある。
【００１３】
本発明の目的は、このような従来技術の問題点に鑑み、放送受信装置において、指定された受信条件に基づきＲＤＳ−ＴＭＣ局の受信を行っている場合に受信状態の悪化に応じて受信対象を代替のＲＤＳ−ＴＭＣ局に切り替えるとき、切替えの前後において得られる交通情報に微妙な差異が生じるのを防止することにある。
【課題を解決するための手段】
【００１４】
上記目的を達成するための第１の発明に係る放送受信装置は、所定の情報を提供するための交通情報データに対し所定の複数種の付随データを付加して構成したデータを多重化して放送する所定形式の放送を受信し、前記情報を取得する放送受信装置に関する。この装置は、各付随データの値が予め指定された値に一致することを条件として受信する放送を選択し、その際、特定の付随データについては、指定された値が所定の値である場合には、選択条件から除外する受信放送選択手段と、該受信放送選択手段により選択された第１の放送を受信している場合にその交通情報データが受信できなくなったとき、該第１放送の代替放送として、前記特定付随データを含む各付随データの値が該第１放送のものと一致する第２の放送を選定する代替放送選定手段とを具備することを特徴とする。
【００１５】
ここで、前記放送受信装置としては、たとえば、ＲＤＳやＲＢＤＳ（ラジオ放送データシステム）に対応した放送受信装置が該当する。予め指定された値としては、たとえば、放送受信装置が接続されたナビゲーション装置においてユーザが各付随データについて指定した値が該当する。受信対象として選択又は選定された放送が複数ある場合には、たとえば受信感度が最も良好な放送が受信される。
【００１６】
この構成において、特定付随データについて指定された値が所定値でない場合には、各付随データについて指定された値のすべてが一致する放送が受信対象として選択される。一方、特定付随データについて指定された値が所定値である場合には、特定付随データについては指定された値との一致は選択条件とはされず、他の付随データについての指定値が一致する場合には受信対象として選択されることになる。
【００１７】
このような選択条件に従い、選択条件に適合する第１放送を受信している場合に、受信状態の悪化等により、交通情報データが受信できなくなったとき、第１放送の代替となる第２放送を受信して、引き続き、同様の交通情報データによる情報を取得できるようにしている。その際、特定付随データについての指定値が所定値であることを理由として、同様に特定付随データを選択条件から除外することにすると、第１放送及び第２放送間で、特定付随データの値が異なる恐れがある。
【００１８】
そこで、本発明では、特定付随データが選択条件から除外されている場合であっても、第１放送の代替放送として、特定付随データを含む付随データの値が第１放送のものと一致する第２の放送を選定するようにし、第１放送及び第２放送間で、特定付随データの値、たとえばサービスＩＤの値が異なるのを防止するようにしている。
【００１９】
第２の発明に係る放送受信装置は、第１発明において、前記所定形式の放送はＲＤＳシステムに従いＴＭＣデータを含むＲＤＳデータを多重化して放送するものであり、前記交通情報データは該ＴＭＣデータを構成するものであり、前記所定の複数種の付随データは、ＲＤＳデータにおける国コード、ロケーション情報、及びサービスＩＤであり、前記特定付随データはサービスＩＤであり、前記所定値は「０」であることを特徴とする。
【００２０】
第３の発明に係る放送受信装置は、第１又は第２発明において、前記選択条件に適合する放送をシーク動作により検索し、得られた各放送についての特定付随データの値を含む所定のデータを記録することによって、得られた各放送を登録した適合放送リストを作成する手段を備え、受信放送選択手段は、受信放送の選択を、該適合放送リストに基づいて、又は該適合放送リストにおけるユーザによる放送の指定に基づいて行うものであることを特徴とする。
【００２１】
第４の発明に係る放送受信装置は、第３発明において、受信放送選択手段は、受信放送の選択に際し、選択した放送の特定付随データの値を適合放送リストから読み出して所定の領域に格納するものであり、第２放送の選定に際しては、該所定領域に格納してある値を参照するものであることを特徴とする。
【００２２】
第５の発明に係る放送受信装置は、第３又は第４発明において、代替放送選定手段は、適合放送リストから、特定付随データの値が第１放送のものと一致する放送を検索し、得られた放送を第２放送として選定するものであることを特徴とする。
【００２３】
第６の発明に係る放送受信装置は、第５発明において、代替放送選定手段は、適合放送リストからの検索により、条件に適合する放送が得られなかった場合、特定付随データを含む各付随データの値が第１放送のものと一致する放送をシーク動作により検索し、得られた放送を第２放送として選定するものであることを特徴とする。
【００２４】
第７の発明に係る放送受信プログラムは、所定の情報を提供するための交通情報データに対し所定の複数種の付随データを付加して構成したデータを多重化して放送する所定形式の放送を受信し、前記情報を取得する放送受信装置のコンピュータに、各付随データの値が予め指定された値に一致することを条件として受信する放送を選択し、その際、特定の付随データについては、指定された値が所定の値である場合には、選択条件から除外する受信放送選択手順と、該受信放送選択手順により選択された第１の放送を受信している場合にその交通情報データが受信できなくなったとき、該第１放送の代替放送として、前記特定付随データを含む各付随データの値が該第１放送のものと一致する第２の放送を選定する代替放送選定手順とを実行させることを特徴とする。
【００２５】
第８の発明に係る放送受信方法は、所定の情報を提供するための交通情報データに対し所定の複数種の付随データを付加して構成したデータを多重化して放送する所定形式の放送を受信し、前記情報を取得する放送受信装置における放送受信方法であって、各付随データの値が予め指定された値に一致することを条件として受信する放送を選択し、その際、特定の付随データについては、指定された値が所定の値である場合には、選択条件から除外する受信放送選択工程と、該受信放送選択工程により選択された第１の放送を受信している場合にその交通情報データが受信できなくなったとき、該第１放送の代替放送として、前記特定付随データを含む各付随データの値が該第１放送のものと一致する第２の放送を選定する代替放送選定工程とを具備することを特徴とする。
【発明の効果】
【００２６】
本発明によれば、第１放送の代替放送として、特定付随データ（たとえば、サービスＩＤ）及び他の付随データ（たとえば、国コード及びロケーション情報）の値が第１放送のものと一致する第２の放送を選定して受信するようにしたため、第１放送及び第２放送間で、特定付随データの値が異なることによる不都合を防止することができる。
【発明を実施するための最良の形態】
【００２７】
図１は本発明の一実施形態に係るシステムの構成を示すブロック図である。このシステムは、同図に示すように、ナビゲーションユニット１、ナビゲーションユニット１に対しＲＳ−４２２規格のケーブルにより接続されたＲＤＳ−ＴＭＣユニット２、及びナビゲーションユニット１に接続されたディスプレイ３を備える。
【００２８】
ナビゲーションユニット１は、ユーザが入力する情報、地図情報、ＧＰＳにより取得される現在位置等に基づき、表示された地図上に現在位置を示しながら、設定されたルートに沿った案内を行う機能等を備えている。また、かかる通常のナビゲーション機能の他、図２に示すように、ユーザが受信を希望するＲＤＳ−ＴＭＣ局を特定するために、その放送により提供されるＲＤＳデータにおける国コード、ロケーション情報、及びサービスＩＤの値の設定を、ＲＤＳ−ＴＭＣ局の受信条件として受け入れ、この受信条件をＲＤＳ−ＴＭＣユニット２に送ったり、ＲＤＳ−ＴＭＣユニット２から送られるＴＭＣデータの内容を表示したりする機能を有する。国コードはＲＤＳデータにおけるＰＩコードに含められている。ロケーション情報及びサービスＩＤはＲＤＳデータにおけるタイプ３Ａグループのデータとして規定されているものである。
【００２９】
ＲＤＳ−ＴＭＣユニット２は、装置各部を制御するＴＭＣ制御部を備え、ＲＤＳデータが多重化されたＦＭ放送を受信し、ＲＤＳデータのタイプ８Ａグループに含まれるＴＭＣデータを抽出し、ナビゲーションユニット１に送る機能を有する。
【００３０】
図３はＴＭＣ制御部における処理の一部を示すフローチャートである。この処理はシステムの電源が投入され、又はＲＤＳ−ＴＭＣ局の受信条件が変更された場合に行われる。処理を開始するとＴＭＣ制御部は、まずステップ３１において、図２に示すように、ナビゲーションユニット１から、受信条件として指定された、国コード、ロケーション情報、及びサービスＩＤの値の通知を受ける。
【００３１】
次にＴＭＣ制御部は、ステップ３２及び３３において、受信条件に合致するＲＤＳ−ＴＭＣ局をシーク動作により検索する。すなわち、周波数を変化させながら、ＲＤＳ−ＴＭＣ局を受信してゆき、得られる国コード、ロケーション情報、及びサービスＩＤの値が、受信条件として指定されたこれらの値に一致するＲＤＳ−ＴＭＣ局を検出する。ただし、受信条件におけるサービスＩＤが「０」、すなわち一般サービスである場合には、従来と同様に、検索条件にはサービスＩＤ（ＲＤＳデータにおける３Ａグループデータ内のサービスＩＤ）は含めず、国コード及びロケーション情報のみが一致するＲＤＳ−ＴＭＣ局が見つかるまでシーク動作を行う。
【００３２】
ステップ３３において、検索条件に合致するＲＤＳ−ＴＭＣ局を検出した旨を判定すると、その時点で受信できるＲＤＳ−ＴＭＣ局をリストアップしたＴＭＣ局リストを構築するために、ステップ３４及び３５において、さらにシーク動作を所定の周波数に達するまで続行する。この場合も、受信条件におけるサービスＩＤが「０」の場合には、この条件は検索条件に含めずにシーク動作を行い、検索条件に合致するＲＤＳ−ＴＭＣ局を順次、ＴＭＣ局リストに登録する。登録は、検索条件に合致するＲＤＳ−ＴＭＣ局の放送局名、受信周波数、受信感度、サービスＩＤの値等をＴＭＣ局リストに記録することによって行う。
【００３３】
ステップ３５において、シーク動作が所定の周波数範囲で一巡したと判定した場合にはステップ３６に進み、ＴＣＭ局リストに登録されたＲＤＳ−ＴＭＣ局が２局以上であるかどうかを判定する。その結果、１局のみのであると判定した場合には、ステップ３７においてそのＲＤＳ−ＴＭＣ局の受信を開始する。複数局であると判定した場合には、ステップ３８において、それらの局のうち最も受信感度が良好であった局、すなわち受信時におけるＳメータの値が最も高かった局の受信を開始する。その後、受信を開始したＲＤＳ−ＴＭＣ局のサービスＩＤの値を、ＴＭＣ局リストから読み出し、以後のシーク動作における検索条件として利用することができるように所定領域に格納してから、図４のステップ４２へ進む。
【００３４】
なお、構築されたＴＭＣ局リストはナビゲーションユニット１に送られ、ＴＭＣ局リストに登録されているＲＤＳ−ＴＭＣ局がディスプレイ３に一覧表示される。ユーザは表示されたＲＤＳ−ＴＭＣ局の一覧から、受信したいＲＤＳ−ＴＭＣ局を指定することができる。ユーザがいずれかのＲＤＳ−ＴＭＣ局を指定した場合（ステップ３９）には、ステップ４０において、指定されたＲＤＳ−ＴＭＣ局の受信を開始すると同時に、ステップ４１において、その局のサービスＩＤ情報をＴＭＣリストから読み込んで、上述の所定領域に格納し、図４のステップ４２へ進む。
【００３５】
ステップ４２へ進むと、受信開始から２分間の経過を監視するために、タイマを起動する。そして、ステップ４３において、受信を開始したＲＤＳ−ＴＭＣ局からＴＭＣデータ（ＲＤＳデータにおける８Ａグループデータ）を受信することができているかどうかを監視する。受信できていれば、ステップ４４において、ＲＤＳデータにおける８ＡグループデータからＴＭＣデータ部分のみを抽出し、ナビゲーションユニット１へ送る。さらに、ステップ４５において前記タイマにおけるカウント値を減算し、ステップ４６において受信開始から２分が経過したと判定するまで、ステップ４３〜４６を繰り返す。
【００３６】
ステップ４６において２分が経過したと判定すると、ステップ４７において、ＴＭＣ局リストの更新を行う。この場合も、最初のステップ３４でのＴＭＣリストの構築の場合と同様に、受信条件におけるサービスＩＤが「０」であれば、サービスＩＤの値の如何は検索条件には含めない。その理由は、ここでサービスＩＤを検索条件に加えてしまうと、ＴＭＣ局リストにおいてリストアップされるＲＤＳ−ＴＭＣ局がステップ３４の場合に比べて少なくなり、ＴＭＣ局リストからのユーザによる選択（ステップ３９）の範囲が狭くなるということを考慮したからである。また、シーク動作は、そのために受信が中断される時間が生じることを考慮し、１回のステップ４７の処理において、ステップ３４及び３５の場合にように所定の周波数範囲を一巡するまでではなく、該周波数範囲の１／４ずつ行い、対応するＴＣＭリスト部分の更新を行う。
【００３７】
その後、ステップ４８において、ステップ４７のＴＭＣ局リストの更新処理を開始するまで受信していたＲＤＳ−ＴＭＣ局の受信を再開してからステップ４２へ戻り、ステップ４２〜４８を繰り返す。
【００３８】
この間、ステップ４３においてＴＭＣデータが受信できないと判定した場合、４０秒後にステップ４９において、今まで受信していたＲＤＳ−ＴＭＣ局に代替し得るＲＤＳ−ＴＭＣ局を、ＴＭＣ局リストに登録してあるＲＤＳ−ＴＭＣ局のうちから検索する。この検索では、ナビゲーションユニット１からの受信条件におけるサービスＩＤの値が「０」であっても、ステップ４１において所定の領域に格納しておいたサービスＩＤの値を用い、この値と一致するサービスＩＤのＲＤＳ−ＴＭＣ局を検索する。これにより、本発明に従い、サービスＩＤの相違によるＴＭＣデータの誤差を防止することができる。なお、ＴＭＣ局リスト中のＲＤＳ−ＴＭＣ局はすべて国コード及びロケーション情報が同一であるため、サービスＩＤが一致すれば、国コード、ロケーション情報、及びサービスＩＤのすべてが同一ということになる。
【００３９】
次に、ステップ５０において、サービスＩＤが一致するＲＤＳ−ＴＭＣ局が検索できたか否かを判定する。検索できたと判定した場合、ステップ５３において、検索したＲＤＳ−ＴＭＣ局の受信を開始し、ステップ４２へ戻る。また、ステップ５０において、サービスＩＤが一致するＲＤＳ−ＴＭＣ局が検索できなかったと判定した場合には、ステップ５１において、今まで受信していたＲＤＳ−ＴＭＣ局と代替し得るＲＤＳ−ＴＣＭ局をシーク動作により検索する。この検索においても、ステップ４９の場合と同様の目的で、ステップ４１で所定領域に格納しておいたサービスＩＤの値を利用し、国コード、ロケーション情報、及びサービスＩＤのすべての値が、それまで受信していたＲＤＳ−ＴＭＣ局のものと一致するＲＤＳ−ＴＭＣ局の検出を試みる。
【００４０】
次に、ステップ５２において、目的とするＲＤＳ−ＴＭＣ局を検出できたか否かを判定する。検出できたと判定した場合には、検出したＲＤＳ−ＴＭＣ局の受信を開始し、ステップ４２に戻る。検出できなかったと判定した場合には、検出できるまでステップ５１のシーク動作を繰り返す。
【００４１】
本実施形態によれば、ＴＭＣデータを受信できなくなった場合に、代替のＲＤＳ−ＴＭＣ局を検索するに際し、それまで受信していたＲＤＳ−ＴＭＣ局とサービスＩＤの値が同一であるという条件を付して検索を行うようにしたため、サービスＩＤの相違によりＴＭＣデータに微差が生じるのを防止することができる。
【図面の簡単な説明】
【００４２】
【図１】本発明の一実施形態に係るシステムの構成を示すブロック図である。
【図２】図１のシステムにおいて受信条件をナビゲーションユニットからＲＤＳ−ＴＭＣユニットに通知する様子を示す図である。
【図３】ＲＤＳ−ＴＭＣユニットのＴＭＣ制御部における処理の一部を示すフローチャートである。
【図４】図３の処理の続きを示すフローチャートである。
【図５】ＲＤＳ−ＴＭＣ局からの放送を受信する際の従来の処理を示すフローチャートであ
【図６】図５の従来の処理における問題点を示す図である。
【符号の説明】
【００４３】
１：ナビゲーションユニット、２：ＲＤＳ−ＴＭＣユニット、３：ディスプレイ。
【図１】
0004682804.tif 000002
【図２】
0004682804.tif 000003
【図６】
0004682804.tif 000004
【図３】
0004682804.tif 000005
【図４】
0004682804.tif 000006
【図５】
0004682804.tif 000007